(57)【要約】【課題】  被監視装置からの状態変化通知に対して時間差を設けることにより、回線負荷や監視処理負荷の軽減を図った監視システムを得る。【解決手段】  二台一組で無線通信を行う一対向の無線アクセス装置１１〜１４が存在し、この無線アクセス装置群をそれぞれが形成する無線ネットワークを経由して監視・制御を行う監視制御装置１０が存在する無線アクセス装置監視制御システムにおいて、無線アクセス装置内で状態変化が起きると、無線アクセス装置は監視制御装置に対して状態変化を通知するが、隣接する無線アクセス装置から同時に監視制御装置に対して大量の状態変化が通知される場合において、隣接する無線アクセス装置間で状態変化通知に時間差を設けることにより、無線回線の負荷及び監視制御装置内部での処理負荷を軽減する。【選択図】      図１
2006253849.tif 000002
【特許請求の範囲】
【請求項１】
複数の被監視装置における状態変化を監視制御装置へ通知する監視システムであって、前記被監視装置の各状態変化通知に時間差を設けたことを特徴とする監視システム。
【請求項２】
前記被監視装置の各々に、前記状態変化通知のための待ち時間を決定する時間決定手段を設けたことを特徴とする請求項１記載の監視システム。
【請求項３】
前記時間決定手段は、前記状態変化の発生に応答して、自装置の前記監視制御装置に対する位置関係に応じて前記待ち時間を決定することを特徴とする請求項２記載の監視システム。
【請求項４】
前記時間決定手段は、自装置が前記監視制御装置により近い位置に存在する場合には、前記待ち時間をより短く決定することを特徴とする請求項３記載の監視システム。
【請求項５】
前記被監視装置は通信回線の両端に設けられた互いに隣接する通信装置であることを特徴とする請求項１〜４いずれか記載の監視システム。
【請求項６】
複数の被監視装置における状態変化を監視制御装置へ通知する監視制御方法であって、前記被監視装置の各状態変化通知に時間差を設けるステップを含むことを特徴とする監視制御方法。
【請求項７】
前記被監視装置の各々において、前記状態変化通知のための待ち時間を決定する時間決定ステップを含むことを特徴とする請求項６記載の監視制御方法。
【請求項８】
前記時間決定ステップは、状態変化の発生に応答して、自装置の前記監視制御装置に対する位置関係に応じて前記待ち時間を決定することを特徴とする請求項７記載の監視制御方法。
【請求項９】
前記時間決定ステップは、自装置が前記監視制御装置により近い位置に存在する場合には、前記待ち時間をより短く決定することを特徴とする請求項８記載の監視制御方法。
【請求項１０】
前記被監視装置は通信回線の両端に設けられた互いに隣接する通信装置であることを特徴とする請求項６〜９いずれか記載の監視制御方法。
【請求項１１】
状態変化の発生に応答して、監視制御装置に対して前記状態変化を通知するようにした被監視装置であって、前記状態変化通知のための待ち時間を決定する時間決定手段を含むことを特徴とする被監視装置。
【請求項１２】
前記時間決定手段は、前記状態変化の発生に応答して、自装置の前記監視制御装置に対する位置関係に応じて前記待ち時間を決定することを特徴とする請求項１１記載の被監視装置。
【請求項１３】
前記時間決定手段は、自装置が前記監視制御装置により近い位置に存在する場合には、前記待ち時間をより短く決定することを特徴とする請求項１２記載の被監視装置。
【請求項１４】
通信回線の両端に設けられた互いに隣接する通信装置であることを特徴とする請求項１１〜１３いずれか記載の被監視装置。
【請求項１５】
状態変化の発生に応答して、監視制御装置に対して前記状態変化を通知するようにした被監視装置の動作をコンピュータに実行させるためのプログラムであって、前記状態変化通知のための待ち時間を決定する処理を含むことを特徴とするプログラム。
【発明の詳細な説明】
【技術分野】
【０００１】
本発明は監視システム及びその方法並びにそれに用いる被監視装置に関し、特にＳＮＭＰ（Simple Network Management Protocol）を用いたネットワーク監視方式に関するものである。
【背景技術】
【０００２】
一般的に、ネットワーク機器を監視制御する場合には、ＳＮＭＰと称するプロトコルが用いられており、このＳＮＭＰの“ＭＩＢ（Management Information Base ）”に相当する、被監視制御装置開発者が定義する監視制御データベースか使用されるが、このＭＩＢでは、いくつかのデータ型、例えば“ＩＮＴＥＧＥＲ”型や“ＯＣＴＥＴ  ＳＴＲＩＮＧ”型などが定義されているために、被監視制御装置の開発者は、通信回線負荷を考慮したデータ型を定義することが可能である。
【０００３】
例えば、０（Ｎｏｒｍａｌ）と１（Ａｌａｒｍ）の二値で示すことが可能なアラーム項目などについては、“ＩＮＴＥＧＥＲ”の０，１で表現する場合や、複数の類似項目をまとめて“ＯＣＴＥＴ  ＳＴＲＩＮＧ”型のビット情報に置き換えて表現する場合などがある。特に、無線アクセス装置のチャネルに対するアラーム情報などは、無線回線の切断／復旧の度に状態変化が起きるために、前者の“ＩＮＴＥＧＥＲ”型で各チャネルに対してアラームを定義すると、状態変化回数×チャネル数×ＩＮＴＥＴＥＲ（４バイト）という多くの情報量が、同時に通信回線を流れることになる。しかしながら、後者の“ＯＣＴＥＴ  ＳＴＲＩＮＧ”型を用いることにより、状態変化回数×ＯＣＴＥＴ  ＳＴＲＩＮＧ（チャネル数／８ビット）にまで情報量を削減することが可能となる。
【０００４】
なお、ＳＮＭＰを用いたネットワーク監視システムの例は特許文献１などに開示されている。
【特許文献１】特開平１１−１５４９５０号公報
【発明の開示】
【発明が解決しようとする課題】
【０００５】
上述したように、監視制御データベースの定義方法により通信回線の負荷を軽減することは可能であるが、従来の技術では、同一の要因により同時に状態変更通知が必要な状況に陥りやすい、隣接する無線アクセス装置同士での状態変化通知のタイミングを考慮していないという問題がある。
【０００６】
そこで、隣接する無線アクセス装置から同時に監視制御装置に対して大量の状態変化が通知される場合において、無線アクセス装置間で状態変化通知に時間差を設けることで無線回線の負荷、かつ監視制御装置内部での処理負荷を軽減することが要求される。
【０００７】
本発明の目的は、被監視装置からの状態変化通知に対して時間差を設けることにより、回線負荷や監視処理負荷の軽減を図った監視システム及びその方法を提供することである。
【課題を解決するための手段】
【０００８】
本発明による監視システムは、複数の被監視装置における状態変化を監視制御装置へ通知する監視システムであって、前記被監視装置の各状態変化通知に時間差を設けたことを特徴とする。
【０００９】
本発明による監視制御方法は、複数の被監視装置における状態変化を監視制御装置へ通知する監視制御方法であって、前記被監視装置の各状態変化通知に時間差を設けるステップを含むことを特徴とする。
【００１０】
本発明による被監視装置は、状態変化の発生に応答して、監視制御装置に対して前記状態変化を通知するようにした被監視装置であって、前記状態変化通知のための待ち時間を決定する時間決定手段を含むことを特徴とする。
【００１１】
本発明によるプログラムは、状態変化の発生に応答して、監視制御装置に対して前記状態変化を通知するようにした被監視装置の動作をコンピュータに実行させるためのプログラムであって、前記状態変化通知のための待ち時間を決定する処理を含むことを特徴とする。
【００１２】
本発明の作用を述べる。二台一組で無線通信を行う一対向の無線アクセス装置（被監視装置）が複数存在し、この無線アクセス装置群をそれぞれが形成する無線ネットワークを経由して監視・制御を行う監視制御装置が存在する無線アクセス装置監視制御システムにおいて、無線アクセス装置内で状態変化が起きると、無線アクセス装置は監視制御装置に対して状態変化を通知するが、隣接する無線アクセス装置から同時に監視制御装置に対して大量の状態変化が通知される場合において、隣接する無線アクセス装置間で状態変化通知に時間差を設けることにより、無線回線の負荷及び監視制御装置内部での処理負荷を軽減する。
【発明の効果】
【００１３】
本発明によれば、大量の状態変化が起こるような状況下において、二台の隣接する被監視装置間で状態変化通知を行う際に時間差を設けることにより、互いに隣接する被監視装置である無線アクセス装置から同時に大量の項目に対して状態変化が発生した場合も、通信回線に負荷を与えることなく、更に監視制御装置の処理負荷を軽減しつつ監視制御装置に対して状態変化通知を行えるという効果がある。
【発明を実施するための最良の形態】
【００１４】
以下に、図面を参照して本発明の実施の形態について詳細に説明する。図１は本発明の実施の形態における無線アクセス装置監視制御システムを実現する概略システム構成例である。図１を参照すると、被監視装置の監視制御を行う監視制御装置１０と、当該被監視装置である無線アクセス装置１１〜１４とを含んでいる。監視制御装置１０と、先頭となる無線アクセス装置１１とは、同一有線ネットワーク１０１上に存在し、無線アクセス装置１１は局舎１２１に設置されている。
【００１５】
無線アクセス装置１１と無線アクセス装置１２とは、無線ネットワーク１１１を形成しており、無線アクセス装置１２と無線アクセス装置１３とは、有線ネットワーク１０２を形成している。また、無線アクセス装置１２，１３は局舎１２２に設置されている。無線アクセス装置１３と無線アクセス装置１４とは、無線ネットワーク１１２を形成しており、無線アクセス装置１４は局舎１２３に設置されている。局舎１２１，１２２，１２３は互いに一定以上の距離を持ち設置されている。
【００１６】
本発明が対象とする無線アクセス装置は、監視制御装置との間に存在する別の無線アクセス装置および有線ネットワーク／無線ネットワークを経由して監視制御装置によって監視・制御される。
【００１７】
一般的に、ネットワーク機器の監視制御には、ＳＮＭＰプロトコルが用いられ、被監視制御装置は監視制御装置と共有する情報源として、被監視制御装置開発者が定義するＭＩＢと呼ばれる監視制御データベースを有する。監視制御装置が被監視制御装置のＭＩＢ情報を得るためには、監視制御装置が被監視制御装置に対して“ＧＥＴ”と呼ばれるＭＩＢ情報の取得要求を送信することにより、被監視制御装置が該当項目の情報を格納した“ＧＥＴ  ＲＥＳＰＯＮＳＥ”を返信して監視制御装置が必要なＭＩＢ情報を得る手段と、“ＴＲＡＰ”と呼ばれ、状態変化があったタイミングで被監視制御装置から監視制御装置に対して一方的に送信される通知により監視制御装置が情報を得る手段の二種類がある。
【００１８】
そこで、本発明においては、監視制御装置が無線アクセス装置を監視制御する場合には、アプリケーション層における何らかの監視制御プロトコルを用い、無線アクセス装置はＳＮＭＰのＭＩＢに相当する監視制御データベースを有し、また“ＴＲＡＰ”に相当する状態変化通知手段を有することで、無線アクセス装置内部の状態変化を監視制御装置に送信できることとする。
【００１９】
以下に、図２、図３を用いて、監視制御装置と無線アクセス装置との関係を示す。図２は、監視制御装置と、被監視装置である視制御対象となる無線アクセス装置との間の通信の様子を示したプロトコルスタック例である。図２において、監視制御装置１０はＥｔｈｅｒｎｅｔ（登録商標）やＰＰＰ（Point-to Point Protocol ）などの有線インターフェースを持つデータリンク層２１１０、ネットワーク層２１２０、トランスポート層２１３０、ＳＮＭＰなどの制御プロトコルを含むアプリケーション層２１４０から成る。
【００２０】
無線アクセス装置１１や１２は、データリンク層における有線インターフェース２２１１，２３１２、無線インターフェース２２１２，２３１１、ネットワーク層２２２０，２３２０、トランスポート層２２３０，２３３０、アプリケーション層２２４０，２３４０から成る。
【００２１】
監視制御装置１０と無線アクセス装置１１との間において、有線インターフェース２１１０と２２１１間の有線通信２１１が開始され、ネットワーク層における通信２２１、トランスポート層における通信２３１が可能なとき、監視制御装置１１はＳＮＭＰなど監視制御プロトコルによる通信２４１を用いて無線アクセス装置１１の監視制御を行う。また、無線アクセス装置１１と無線アクセス装置１２間において、無線インターフェース２２１２と２３１１間の無線通信２１２が開始されているとき、監視制御装置１０は有線通信２１１と無線通信２１２を経由して無線アクセス装置１２の監視制御を行う。
【００２２】
図１に示した構成のように、一対向の無線アクセス装置に後続して無線アクセス装置を設置する場合には、無線アクセス装置１２の有線インターフェース２３１２と通信を開始することで、監視制御装置１０からも監視制御が可能となる。
【００２３】
次に、図３に、監視制御に必要な各装置の内部構成例を示す。監視制御装置１０は、有線送受信部３１０１と状態変化通知処理部３１０２とを有する。無線アクセス装置１１（他の無線アクセス装置についても同等構成である）は、有線送受信部３２０１、無線送受信部３２０２を有し、有線・無線両インターフェースにおいて、Ｍａｓｔｅｒ／Ｓｌａｖｅ（マスタ／スレーブ）情報部３２０３，３２０４を有する。更に、監視制御データベース３２０５を有し、監視制御データベース３２０５の情報を監視制御装置に通知する手段としての状態変化通知生成／通知部３２０６と、特定の状態変化を通知する際に待ち時間を設けるためのＴｉｍｅｒ（タイマ）部３２０７を有し、Ｔｉｍｅｒ部３２０７を扱う上で必要な情報をＴｉｍｅｒ情報部３２０８として有する。
【００２４】
図４を参照すると、（Ａ）に示す如く、Ｍａｓｔｅｒ／Ｓｌａｖｅ情報部３２０３，３２０４は項目として「通信関係」を有し、その取り得る値としては、“Ｍａｓｔｅｒ”，“Ｓｌａｖｅ”、そして“Ｄｉｓｃｏｎｎｅｃｔ”の３値である。対象インターフェースにおいて接続中の隣接する無線アクセス装置と比べて、当該無線アクセス装置と監視制御装置との間に経由する他の無線アクセス装置数が少ない方が“Ｍａｓｔｅｒ”、監視制御装置との間に経由する他の無線アクセス装置数が多い方が“Ｓｌａｖｅ”と位置付けられ、Ｍａｓｔｅｒ無線アクセス装置はＳｌａｖｅ無線アクセス装置間との通信において主導権をとるものとする。そして、対象インターフェースにおいて接続中の隣接する無線アクセス装置が存在しない場合は“Ｄｉｓｃｏｎｎｅｃｔ”をとる。
【００２５】
図４（Ｂ）に示すように、Ｔｉｍｅｒ情報部３２０８は三つの情報から成る。一つ目は、特定の状態変化を通知する際に待ち時間を設けるためのＴｉｍｅｒ機能が有効状態であるか否かを示す「Ｔｉｍｅｒ情報」であり、Ｔｉｍｅｒ機能が有効状態であることを示す“ＯＮ”と、無効状態であることを示す“ＯＦＦ“の２値をとる。
【００２６】
二つ目は、Ｔｉｍｅｒ機能がＯＮの状態にあるとき、特定の状態変化を通知する際に待つ時間を示す「Ｔｉｍｅｒ値」を有し、その取りうる値は、無線アクセス装置によって異なる。本発明の最大の特徴は、隣接する無線アクセス装置間に異なるＴｉｍｅｒ値を設定することにより、状態変化通知に時間差を設け、無線回線の負荷、監視制御装置内部での処理負荷を軽減する機能を有することである。
【００２７】
三つ目に、有線インターフェースにおけるＭａｓｔｅｒ／Ｓｌａｖｅ情報部３２０３（３２０４）が“Ｓｌａｖｅ”であるときに、有線インターフェースにおけるＭａｓｔｅｒ無線アクセス装置がＴｉｍｅｒ機能を有効としているか否かを示す、「有線Ｍａｓｔｅｒ  Ｔｉｍｅｒ情報」を有し、“ＯＮ”，“ＯＦＦ”の２値をとる。
【００２８】
以下に、本発明の実施の形態の動作を説明する。図１に示した無線アクセス装置監視制御システムにおいて、隣接する無線アクセス装置に対して同時に状態変化が起こるような状況、特に無線通信に影響を与える状況では、帯域を複数のチャネルに分割して使用している場合、複数の項目に対して同時に状態変化が発生することがあり、二台の無線アクセス装置から複数の状態変化通知が発生することになり、通信回線に与える負荷や監視制御装置に与える負荷が大きい。
【００２９】
このような状態変化通知が多発するような状況下において、隣接する無線アクセス装置間において特定の状態変化を通知する際の待ち時間を異なる値に設定することにより、隣接する無線アクセス装置から同時に大量の状態変化通知が発生することを防ぐ様子を、図５〜図７の動作フロー図やシーケンス図を用いて説明する。
【００３０】
図５は，無線アクセス装置内部において状態変化通知を抑制するＴｉｍｅｒの動作例を示したものである。無線アクセス装置は、状態変化通知が多発するような状況として、無線通信が切断されたことを確認すると（ステップ４Ｆ０１）、Ｔｉｍｅｒ情報部のＴｉｍｅｒ情報をＯＮに設定する（ステップ４Ｆ０２）。次に、無線インタ−フェースにおけるＭａｓｔｅｒ／Ｓｌａｖｅ情報部を用いて、自身が無線ネットワークにおいてＭａｓｔｅｒであるかを判断する（ステップ４Ｆ０３）。Ｍａｓｔｅｒであると判断した場合は、Ｔｉｍｅｒ情報部の有線Ｍａｓｔｅｒ  Ｔｉｍｅｒ情報を確認し（ステップ４Ｆ０４）、有線Ｍａｓｔｅｒ  Ｔｉｍｅｒ情報がＯＦＦであれば、Ｔｉｍｅｒ情報部のＴｉｍｅｒ情報をＯＦＦに設定し、Ｔｉｍｅｒ情報部のＴｉｍｅｒ値を０に設定し（ステップ４Ｆ０５）、Ｔｉｍｅｒ機能が稼動しない状態をつくる。
【００３１】
無線アクセス装置が本状態の場合、無線通信が復旧したら抑制することなく直ちに状態変化通知を送信する（ステップ４Ｆ０６）。また、自身が無線ネットワークにおいてＭａｓｔｅｒであり（ステップ４Ｆ０３）、Ｔｉｍｅｒ情報部の有線Ｍａｓｔｅｒ  Ｔｉｍｅｒ情報がＯＮの場合は（ステップ４Ｆ０５）、Ｔｉｍｅｒ情報部のＴｉｍｅｒ値ｔ＋α秒に設定する（ステップ４Ｆ０７）。無線アクセス装置が本状態の場合、無線通信が復旧したら、ｔ＋α（秒）間、状態変化通知を抑制してその後状態変化通知を送信し（ステップ４Ｆ０８）、状態変化通知送信後Ｔｉｍｅｒ情報部のＴｉｍｅｒ情報をＯＦＦに設定し、Ｔｉｍｅｒ情報部のＴｉｍｅｒ値を０に設定する（ステップ４Ｆ０９）。
【００３２】
次に、無線インターフェースにおけるＭａｓｔｅｒ／Ｓｌａｖｅ情報部を用いて、自身が無線ネットワークにおいてＳｌａｖｅであると判断した場合（ステップ４Ｆ０３）、Ｔｉｍｅｒ情報部のＴｉｍｅｒ値をｔ（秒）に設定する（ステップ４Ｆ１０）。更に、有線インターフェースにおけるＭａｓｔｅｒ／Ｓｌａｖｅ情報部を用いて、自身が有線ネットワークにおいてＭａｓｔｅｒであると判断した場合（ステップ４Ｆ１１）は、有線ネットワークにおけるＳｌａｖｅ無線アクセス装置に対して、現在自分自身のＴｉｍｅｒがＯＮとなっていることを通知する（ステップ４Ｆ１２）。
【００３３】
無線アクセス装置が本状態の場合、無線通信が復旧したら、ｔ（秒）間状態変化通知を抑制して、その後対象状態変化通知を送信し（ステップ４Ｆ１３）、状態変化通知送信後、Ｔｉｍｅｒ情報部のＴｉｍｅｒ情報をＯＦＦに設定し、Ｔｉｍｅｒ情報部のＴｉｍｅｒ値を０に設定するる。それと同時に、有線ネットワークにおけるＳｌａｖｅ無線アクセス装置に対して、自分自身のＴｉｍｅｒがＯＦＦとなったことを通知する（ステップ４Ｆ１４）。ステップ４Ｆ１１において、ＳＬＡＶＥアクセス装置が存在しない場合には、ステップ４Ｆ１３へ移行し、ステップ４Ｆ１４のＳＬＡＶＥアクセス装置に対してＴｉｍｅｒ  ＯＦＦの通知はしない。
【００３４】
この無線アクセス装置で、有線インターフェースにおけるＭａｓｔｅｒ／Ｓｌａｖｅ情報部を用いて、自身が有線ネットワークにおいてＭａｓｔｅｒであると判断した場合（ステップ４Ｆ１１）、有線ネットワークにおけるＳｌａｖｅ無線アクセス装置に対して、現在自分自身のＴｉｍｅｒ情報を通知したが、有線ネットワークにおけるＳｌａｖｅ無線アクセス装置内部の動作フローを図６を用いて説明する。
【００３５】
無線アクセス装置は、図５で示したフローとは独立して図６で示すフローを有するものとする。いま、無線アクセス装置が有線インターフェースにおけるＭａｓｔｅｒ／Ｓｌａｖｅ情報部より、自身が有線ネットワークおいてＳｌａｖｅであるとき、有線ネットワークにおけるＭａｓｔｅｒ無線アクセス装置からＴｉｍｅｒ  ＯＮ通知を受ける（ステップ５Ｆ０１）。当該無線アクセス装置はＴｉｍｅｒ情報部のＴｉｍｅｒ情報を用いて、自身のＴｉｍｅｒ情報がＯＮであると判断した場合（ステップ５Ｆ０２）、Ｔｉｍｅｒ情報部の有線Ｍａｓｔｅｒ  Ｔｉｍｅｒ情報をＯＮに設定と同時に、Ｔｉｍｅｒ情報部のＴｉｍｅｒ値にｔ＋α（秒）を設定する（ステップ５Ｆ０３）。
【００３６】
無線アクセス装置が本状態の場合、図５のステップ４Ｆ０７と同じ状態となるので、無線ネットワークの通信が復旧したら、ｔ＋α（秒）状態変化通知を抑制して、その後、対象状態変化通知を送信し（ステップ４Ｆ０８）、状態変化通知送信後、Ｔｉｍｅｒ情報部のＴｉｍｅｒ情報をＯＦＦに設定し、Ｔｉｍｅｒ情報部のＴｉｍｅｒ値を０に設定する（ステップ４Ｆ０９）。一方、図６のステップ５Ｆ０２で、自身のＴｉｍｅｒ情報がＯＦＦであると判断した場合は、Ｔｉｍｅｒ情報部の有線Ｍａｓｔｅｒ  Ｔｉｍｅｒ情報をＯＮに設定するのみ（ステップ５Ｆ０４）で処理が完了する。
【００３７】
次に、図７を用いて、無線通信に影響を受けることで状態変化通知が多発する状況下において、隣接する無線アクセス装置間で異なるＴｉｍｅｒ値を有しながらＴｉｍｅｒ機能を稼動させる様子を説明する。図１に示したように、監視制御装置１０と無線アクセス装置１１〜１４とから成り、監視制御装置１０は無線アクセス装置１１と有線ネットワークで通信中、無線アクセス装置１１と１２とは無線ネットワークで通信中、無線アクセス装置１２と１３とは有線ネットワークで通信中、無線アクセス装置１３と１４とは無線ネットワークで通信中であるとする。
【００３８】
ここで、無線アクセス装置１１と１２間の無線通信が切断すると（ステップ６Ｓ０１）、無線アクセス装置１１，１２内で図５に示すＴｉｍｅｒ処理フローが行われた結果、無線アクセス装置１１はＴｉｍｅｒ無し、無線アクセス装置１２はＴｉｍｅｒ値＝ｔ（秒）が設定され（ステップ６Ｓ０２）、無線アクセス装置１２は有線ネットワークにおけるＳｌａｖｅ無線アクセス装置１３に対して、自身のＴｉｍｅｒがＯＮであることを通知する（ステップ６Ｓ０３）。
【００３９】
有線ネットワークにおけるＭａｓｔｅｒ無線アクセス装置１２からＴｉｍｅｒの通知を受けた無線アクセス装置１３は、有線Ｍａｓｔｅｒ  Ｔｉｍｅｒ情報をＯＮに設定する（ステップ６Ｓ０４）。この後、無線アクセス装置１１，１２間の無線通信が復旧した場合（ステップ６Ｓ０５）、無線アクセス装置１１からは直ちに状態変化通知が送信され（ステップ６Ｓ０６）、無線アクセス装置１２からはｔ（秒）抑制がかかった後（ステップ６Ｓ０７）、状態変化通知が送信される（ステップ６Ｓ０８）。
【００４０】
無線アクセス装置１２は、状態変化通知送信後、自身のＴｉｍｅｒをＯＦＦに設定し（ステップ６Ｓ０９）、有線ネットワークにおけるＳｌａｖｅ無線アクセス装置１３に対して、自身のＴｉｍｅｒがＯＦＦになったことを通知し（ステップ６Ｓ１０）、有線ネットワークにおけるＭａｓｔｅｒ無線アクセス装置１２からＴｉｍｅｒの通知を受けた無線アクセス装置１３は、有線Ｍａｓｔｅｒ  Ｔｉｍｅｒ情報をＯＦＦに設定する（ステップ６Ｓ１１）。
【００４１】
また、本発明の特徴の一つに、無線アクセス装置内部のＴｉｍｅｒ情報部で有線Ｍａｓｔｅｒ  Ｔｉｍｅｒ情報を管理することで、一対向の無線アクセス装置二台におけるＴｉｍｅｒ管理だけでなく、後続の無線アクセス装置も含めたＴｉｍｅｒ管理が行える点である。これは、無線アクセス装置の使用用途として、図１に示すように、有線接続される無線アクセス装置は同一局舎１２２内に設置されることが多い。従って、局舎１２２における同様の問題によって無線ネットワーク１１１，１１２に、同時に影響が出ることも考慮する必要がある。そこで、二対向以上の無線アクセス装置間で、Ｔｉｍｅｒ管理を行う様子を、図８に示す。
【００４２】
図８を参照すると、監視制御装置１０と、無線アクセス装置１１〜１４とから成り、これら装置間の接続関係は図７の例と同等であるものとする。いま、無線アクセス装置１１−１２間、１３−１４間の両無線通信が同時に切断すると（ステップ７Ｓ０１，７Ｓ０２）、無線アクセス装置１１〜１４内で図５に示したＴｉｍｅｒ処理フローが行われる。その結果、無線アクセス装置１１はＴｉｍｅｒ無し、無線アクセス装置１２，１４は、Ｔｉｍｅｒ値＝ｔ（秒）が設定され（ステップ７Ｓ０３，７Ｓ０４）、無線アクセス装置１２は有線ネットワークにおけるＳｌａｖｅ無線アクセス装置１３に対して、自身のＴｉｍｅｒがＯＮであることを通知する（ステップ７Ｓ０５）。
【００４３】
有線ネットワークにおけるＭａｓｔｅｒ無線アクセス装置１２からＴｉｍｅｒの通知を受けた無線アクセス装置１３は、有線Ｍａｓｔｅｒ  Ｔｉｍｅｒ情報をＯＮに設定する（ステップ７Ｓ０６）。このとき、無線アクセス装置１３自身のＴｉｍｅｒもＯＮになっているので、Ｔｉｍｅｒ値＝ｔ＋α（秒）を設定する（ステップ７Ｓ０７）。
【００４４】
この後、無線アクセス装置１１−１２間、１３−１４間の無線通信が復旧した場合（ステップ７Ｓ０８，７Ｓ０９）、無線アクセス装置１１からは直ちに状態変化通知が送信され（ステップ７Ｓ１０）、無線アクセス装置１２からはｔ（秒）抑制がかかった後（ステップ７Ｓ１１）、状態変化通知が送信され（ステップ７Ｓ１２）、無線アクセス装置１３からはｔ＋α（秒）抑制がかかった後（ステップ７Ｓ１３）、状態変化通知が送信される（ステップ７Ｓ１３）。
【００４５】
このとき、無線アクセス装置１１と１４とは、全く別の独立した場所に設置されているために、無線アクセス装置１１−１２間の無線ネットワークを形成する上での環境と、無線アクセス装置１３−１４間の無線ネットワークを形成する上での環境とは異なる。よって、無線通信の復旧（ステップ７Ｓ０８と７Ｓ０９と）が全く同時に起こる可能性は非常に低いと考えられる。
【００４６】
従って、無線アクセス装置１４では、無線アクセス装置１２と同一Ｔｉｍｅｒ値＝ｔ（秒）を有するが、無線アクセス装置１４からの状態変更通知と無線アクセス装置１２からの状態変更通知とが、同一タイミングで監視制御装置１０に到達する状況は、本発明では考慮しないこととし、無線アクセス装置１３−１４間の無線通信が復旧した後（ステップ７Ｓ０９）、無線アクセス装置１４からはｔ（秒）抑制がかかった後（ステップ７Ｓ１５）、監視制御装置１０に対して状態変化通知が送信される（ステップ７Ｓ１６）。
【００４７】
状態変化通知送信後、無線アクセス装置１１〜１４は自身のＴｉｍｅｒをＯＦＦに設定し（ステップ７Ｓ１７，７Ｓ１８，７Ｓ１９）、無線アクセス装置１２は有線ネットワークにおけるＳｌａｖｅ無線アクセス装置１３に対して、自身のＴｉｍｅｒがＯＦＦになったことを通知し（ステップ７Ｓ２０）、有線ネットワークにおけるＭａｓｔｅｒ無線アクセス装置１２からＴｉｍｅｒの通知を受けた無線アクセス装置１３は有線Ｍａｓｔｅｒ  Ｔｉｍｅｒ情報をＯＦＦに設定する（ステップ７Ｓ２１）。
【００４８】
このように、無線アクセス装置がＴｉｍｅｒ情報部とＴｉｍｅｒ部を有することで、隣接する無線アクセス装置から同時に大量の項目に対して状態変化が発生した場合も、通信回線に負荷を与えることなく、更に監視制御装置の処理負荷を軽減しながら監視制御装置に対して状態変化通知を行えることになる。
【００４９】
特に、大量の項目に対して状態変化が起こる状況としては、通信回線に影響が出たときなどが考えられるが、通信回線に影響が出る多くの場合は、その両端に存在する二台の無線アクセス装置で、同時に同様の現象が起こると考えられる。従って、本発明により、大量の状態変化が起こるような状況下において、二台の隣接する無線アクセス装置間で、状態変化通知を行う際に時間差を設けることで、有効となる。
【００５０】
また、状態変化通知のタイミング管理を、監視制御装置ではなく、無線アクセス装置側が有することで、監視制御装置が無線アクセス装置の構成を予め有しておく必要がない。本発明では、状態変化通知が起こった時点で、隣接している無線アクセス間で、状態変化通知の待ち時間を決定することが可能になり、監視制御装置が無線アクセス装置の構成を認識しておく必要がなく、また無線アクセス装置の設置構成が変更しても、監視制御側がそれを意識する必要がない。
【００５１】
更に、状態変化通知のタイミング管理を、監視制御装置ではなく、無線アクセス装置側が有することで、状態変化通知の待ち時間の種類が限定できる効果がある。上述したとおり、本発明では、状態変化通知が起こった時点で隣接している無線アクセス間で、状態変化通知の待ち時間を決定することが可能であるために、予め各無線アクセス装置に状態変化通知の待ち時間を付与しておく必要がない。予め各装置が異なる状態変化通知の待ち時間を有していれば、必ず状態変化通知に時間差を設けることができるが、無線アクセス装置の台数が増加した場合、それぞれに異なる状態変化通知の待ち時間を付与することは、緊急事態を通知する目的も含まれる状態変化通知に対して、必要以上に長い待ち時間を付与された無線アクセス装置が存在することになり、非効率的であるために、状態変化通知の待ち時間を限定できる本発明は非常に有効なものとなる。
【００５２】
更にはまた、無線アクセス装置が有するＴｉｍｅｒ情報部に、有線Ｍａｓｔｅｒ  Ｔｉｍｅｒ情報を有することで、無線ネットワーク上で隣接する無線アクセス装置だけでなく、有線ネットワーク上で隣接する無線アクセス装置間でも、状態変化通知のタイミングを管理できることになる。上述したように、通信回線に影響が出る多くの場合は、その両端に存在する二台の無線アクセス装置で、同時に同様の現象が起こると考えられる。このことは、無線通信のみならず、有線通信にも同様の状況が成り立つために、無線ネットワーク・有線ネットワーク両方を前提として、隣接する無線アクセス装置間で、状態変化通知に異なる待ち時間を付与することにより、有効となる。
【００５３】
上記実施の形態では、無線アクセス装置間の無線通信が切断されたときの例を示したが、本発明は、上述したように、有線ネットワーク上で隣接する無線アクセス装置間で複数項目が同時に状態変化を起こすような状況でも、状態変化を通知する際の待ち時間がそれぞれ異なる設定となる機能を有している。
【００５４】
図１において、有線ネットワーク１０２で通信中の無線アクセス装置１２，１３間において、複数項目が同時に状態変化を起こすような状況に同時に陥ったとき、図５に示した「無線通信が切断されたことを確認する」ステップ４Ｆ０１を、「有線通信に影響を受けたことを確認する」に読み替えることにより、無線アクセス装置での状態変化通知を抑制するためのＴｉｍｅｒ値はｔ（秒）、無線アクセス装置１３でのＴｉｍｅｒ値はｔ＋α（秒）となる。
【００５５】
また、上記の実施の形態では、図１で示すような無線アクセス装置構成であったが、実際に無線アクセス装置を設置する場合は，図９に示すような構成でも運用されているので、図９を参照して、隣接する無線アクセス装置間において、状態変化を通知する際の待ち時間がそれぞれ異なる設定となることを説明する。
【００５６】
監視制御装置１０と、無線アクセス装置８１〜８４とから成り、監視制御装置１０は無線アクセス装置８１と有線ネットワーク１０１で通信中、無線アクセス装置８１と８２とは無線ネットワーク８１１で通信中、無線アクセス装置８１と８３とは有線ネットワーク８０２で通信中、無線アクセス装置８３と８４とは無線ネットワーク８１２で通信中であるとする。
【００５７】
いま、無線アクセス装置８１−８２間，８３−８４間の両無線通信が同時に切断したとすると、無線アクセス装置８１〜８４内で図５に示したＴｉｍｅｒ処理フローが行われる。その結果、それぞれの状態変化通知を抑制するためのＴｉｍｅｒ値は、無線アクセス装置８１がＴｉｍｅｒ機能無効、すなわちＴｉｍｅｒ値＝０、無線アクセス装置８２がｔ（秒）、無線アクセス装置８３がｔ＋α（秒）、無線アクセス装置８４がｔ（秒）となる。よって、本例においても、隣接する無線アクセス装置間では、常に異なるＴｉｍｅｒ値が設定されるのである。
【００５８】
上述した実施の形態においては、被監視装置として、無線アクセス装置を使用しているが、特にこれに限定されることなく、広く一般の装置に適用可能であることは明白である。また、上記の各動作手順は、予めプログラムとしてＲＯＭなどの記録媒体に記録しておき、これをコンピュータであるＣＰＵにより読取って実行するよう構成できることも明白である。
【図面の簡単な説明】
【００５９】
【図１】本発明の実施の形態が適用される無線アクセス装置監視制御システムの構成図である。
【図２】本発明の実施の形態における監視制御システムのプロトコルスタック図である。
【図３】本発明の実施の形態における監視制御システムの装置構成図である。
【図４】無線アクセス装置が有するＭａｓｔｅｒ／Ｓｌａｖｅ情報部の情報の例（Ａ）と、Ｔｉｍｅｒ情報部における情報部の情報の例（Ｂ）とを示す図である。
【図５】無線アクセス装置が有するＴｉｍｅｒ部において、Ｔｉｍｅｒが稼動する様子を示すフロー図である。
【図６】無線アクセス装置が有するＴｉｍｅｒ部において、有線ネットワークにおけるＭａｓｔｅｒ無線アクセス装置からＴｉｍｅｒ情報を受けたときの動作を示すフロー図である。
【図７】１つの無線通信が切断されたときのＴｉｍｅｒが稼動する様子を示したシーケンス図である。
【図８】２つの無線通信が切断されたときのＴｉｍｅｒが稼動する様子を示したシーケンス図である。
【図９】本発明の他の実施の形態が適用される無線アクセス装置監視制御システムの構成図である。
【符号の説明】
【００６０】
１０  監視制御装置
１１〜１４，８１〜８４  被監視装置（無線ネットワーク装置）
１０１，１０２，８０２  有線ネットワーク
１１１，１１２，８１１，８１２  無線ネットワーク
【図１】
2006253849.tif 000003
【図２】
2006253849.tif 000004
【図３】
2006253849.tif 000005
【図４】
2006253849.tif 000006
【図５】
2006253849.tif 000007
【図６】
2006253849.tif 000008
【図７】
2006253849.tif 000009
【図８】
2006253849.tif 000010
【図９】
2006253849.tif 000011